(57)【要約】【課題】  地震発生時にロータンク１０２に備蓄されている上水が便器１０５側に排水されることを防止することができる備蓄水装置１を提供する。【解決手段】  ロータンク１０２内に備蓄された上水を所定角度回転させることによって便器１０５側へ排水させるためにロータンク１０２に設けられている操作レバー１０４と共に回動及び停止可能な支持部材２と、支持部材２に収容されて、その先端３ａがロータンク１０２側へ出没可能に、ロータンク１０２側へ突出するように付勢されている回転停止ロッド３と、回転停止ロッド３の先端３ａがロータンク１０２から離反した位置で前記付勢力に抗して係止するストッパー４と、該ストッパー４を地震感知装置５の地震感知により、回転停止ロッド３の付勢力のストッパー４による係止を解除する動力を伝達する伝達部６と、を具備する。【選択図】図３
2012007366.tif 000002
【特許請求の範囲】
【請求項１】
ロータンク内に備蓄された上水を非常時用の備蓄水として使用する備蓄水装置であって、
前記ロータンクに設けられており該ロータンク内に備蓄された上水を所定角度回転させることによって便器側へ排水させる操作レバーと共に回動及び停止可能な支持部材と、
該支持部材に収容されて、その先端が前記ロータンク側へ出没可能に、当該ロータンク側へ突出するように付勢されている回転停止ロッドと、
該回転停止ロッドの先端が前記ロータンクから離反した位置で前記付勢力に抗して係止するストッパーと、
地震感知装置の地震感知により、前記回転停止ロッドの付勢力の前記ストッパーによる係止を解除する動力を伝達する伝達部と、を具備することを特徴とする備蓄水装置。
【請求項２】
前記地震検知装置が、一端を支点として開閉可能な押圧部材と、
該押圧部材を開方向に付勢している伸張側の端部に、一端側が前記ストッパーと連結した前記伝達部の他端側が連結されたバネと、
前記押圧部材の他端側に地震検知時に落下する重りを載せる重り載置部を設けたことを特徴とする請求項１記載の備蓄水装置。
【請求項３】
前記伝達部が、ロープと、
該ロープを一端側及び他端側を露出させた状態で収容する管と、を具備することを特徴とする請求項１又は２記載の備蓄水装置。
【請求項４】
前記ロータンクの前記回転停止ロッドの先端が当接する部分に、当該回転停止ロッドの先端との間の摩擦力を増加させる摩擦シートが貼付されていることを特徴とする請求項１〜３の何れかに記載の備蓄水装置。
【請求項５】
前記支持部材と前記操作レバーとが一体化されたことを特徴とする請求項１〜４の何れかに記載の備蓄水装置。
【請求項６】
操作レバーの回動を地震発生時に停止させる操作レバーの停止構造であって、
前記操作レバーと共に回動及び停止可能な支持部材と、
該支持部材に収容されて、その先端が当該支持部材近傍の所定部材側へ出没可能に、当該所定部材側へ突出するように付勢されている回転停止ロッドと、
該回転停止ロッドの先端が前記所定部材から離反した位置で前記付勢力に抗して係止するストッパーと、
地震感知装置の地震感知により、前記回転停止ロッドの付勢力の前記ストッパーによる係止を解除する動力を伝達する伝達部と、を具備することを特徴とする操作レバーの停止構造。
【発明の詳細な説明】
【技術分野】
【０００１】
本発明は、水洗トイレのロータンク内に備蓄された上水を備蓄水として使用する備蓄水装置に関する。併せて、地震発生時に操作レバーの回動を停止する操作レバーの停止構造に関する。
【背景技術】
【０００２】
地震等の災害発生時には、上水道の断水が発生する場合があり、その際には飲み水の確保が課題となる。飲み水を確保する一つとして、上水を予め備蓄しておく備蓄水装置が挙げられる。備蓄水装置としては、特許文献１に記載されているように専用のタンクを使用するものもあるが、コスト、設置する場所等の問題があり、一般家庭等において採用することは難しい。このようなことを鑑みてか、一般家庭等において使用されており、通常上水が備蓄される水洗トイレ１０１のロータンク１０２を利用した備蓄水装置（水洗便所）が、特許文献２に提案されている。
【０００３】
ここで、ロータンク１０２とは、図８、図９に示すように、上水管１０３から供給される上水をその内部に備蓄し、操作レバー１０４を「大」または「小」方向へ回動させることで備蓄した上水を便器１０５へ排水するものである。前記上水管１０３には、ロータンク１０２の壁面を貫通して外部から内部へ導入されている。ロータンク１０２の内部側の上水管１０３は、ロータンク１０２に備蓄される上水に浮かぶ浮玉１０６の位置により開閉するボールタップ１０７が設けられている。上水管１０３のボールタップ１０７より先端側には使用者が手洗い用に使用するロータンク１０２の蓋部１０２ａに設けられた手洗管１０８へとつながる手洗管ホース１０９と、ロータンク１０２内へ直接上水を流入させる流入口１１０とが設けられている。
【０００４】
前記操作レバー１０４は、ロータンク１０２の壁面を貫通すると共に回動可能なシャフト１１１のロータンク１０２の外部側の端部に固定されている。このシャフト１１１は、ロータンク１０２の内部側の端部付近が略直角に屈曲しており、その先端に一端がゴムフロート１１２に接続されたチェーン１１３の他端が接続されている。前記ゴムフロート１１２は、便器１０５へとつながる排水弁１１４を封止するものであり、ロータンク１０２内に想定以上の上水が流入した場合に上水がこぼれることを防ぐための上方に開口して排水弁１１４につながるオーバフロー管１１５の下端に回動可能に接続されている。これにより、ゴムフロート１１２は、チェーン１１３に引っ張られて引き上げられた後、再び沈む際に必ず排水弁１１４を封止できる位置に戻る。
【０００５】
水洗トイレ１０１において、ロータンク１０２内の上水を便器１０５へ排水する際には、図１０に示すように操作レバー１０４を所定角度回転させることにより、シャフト１１１が回動し、そのロータンク１０２の内部側の先端に接続されるチェーン１１３を引っ張ってゴムフロート１１２を引き上げる。これにより、ロータンク１０２内の上水は、排水弁１１４から便器１０５へ排水される。
【０００６】
前記排水に伴い、ロータンク１０２内の上水の水位が下がるので、上水に浮いている浮玉１０６の位置も下がり、ボールタップ１０７は開状態となる。これにより、ロータンク１０２には、手洗管１０８及び流入口１１０より上水が流入する。流入した上水は、ゴムフロート１１２が再び排水弁１１４を封止することにより、ロータンク１０２に備蓄される。そして、備蓄量が所定の量に達することで、浮玉１０６は元の位置にもどる。これにより、ボールタップ１０７は閉状態となって、手洗管１０８及び流入口１１０からのロータンク１０２内へ上水の流入は止まる。
【０００７】
特許文献２では、上記説明したロータンク１０２の下方側面に蛇口を取り付けるとしており、蛇口より当該ロータンク内に備蓄されている上水を取り出して、飲み水等に利用するとされている。
【先行技術文献】
【特許文献】
【０００８】
【特許文献１】特開平９−１８９０５６号公報
【特許文献２】特開２００６−２５７８４４号公報
【発明の概要】
【発明が解決しようとする課題】
【０００９】
しかし、特許文献２に開示される備蓄水装置では、地震発生時に操作レバー１０４が振動、または住民が使用することにより回動してしまう可能性がある。このような事象が発生した場合には、ロータンク１０２に備蓄された上水が、減少、若しくは無くなってしまうので問題である。
【００１０】
そこで、本発明は、地震発生時にロータンクに備蓄されている上水が便器側に排水されることを防止することができる備蓄水装置を提供することを目的とする。併せて、地震発生時に操作レバーの回動を停止する操作レバーの停止構造に関する。
【課題を解決するための手段】
【００１１】
請求項１に記載の備蓄水装置は、ロータンク内に備蓄された上水を非常時用の備蓄水として使用する備蓄水装置であって、前記ロータンクに設けられており該ロータンク内に備蓄された上水を所定角度回転させることによって便器側へ排水させる操作レバーと共に回動及び停止可能な支持部材と、該支持部材に収容されて、その先端が前記ロータンク側へ出没可能に、当該ロータンク側へ突出するように付勢されている回転停止ロッドと、該回転停止ロッドの先端が前記ロータンクから離反した位置で前記付勢力に抗して係止するストッパーと、地震感知装置の地震感知により、前記回転停止ロッドの付勢力の前記ストッパーによる係止を解除する動力を伝達する伝達部と、を具備することを特徴としている。
【００１２】
請求項２に記載の備蓄水装置は、前記地震感知装置が、一端を支点として開閉可能な押圧部材と、該押圧部材を開方向に付勢している伸長側の端部に、一端側が前記ストッパーと連結した前記伝達部の他端側が連結されたバネと、前記押圧部材の他端側に地震感知時に落下する重りを載せる重り載置部を設けたことを特徴としている。
【００１３】
請求項３に記載の備蓄水装置は、前記伝達部が、ロープと、該ロープを一端側及び他端側を露出させた状態で収容する管と、を具備することを特徴としている。
【００１４】
請求項４に記載の備蓄水装置は、前記ロータンクの前記回転停止ロッドの先端が当接する部分に、当該回転停止ロッドの先端との間の摩擦力を増加させる摩擦シートが貼付されていることを特徴としている。
【００１５】
請求項５に記載の備蓄水装置は、前記支持部材と前記操作レバーとが一体化されたことを特徴としている。
【００１６】
請求項６記載の操作レバーの停止構造は、操作レバーの回動を地震発生時に停止させる操作レバーの停止構造であって、前記操作レバーと共に回動及び停止可能な支持部材と、該支持部材に収容されて、その先端が当該支持部材近傍の所定部材側へ出没可能に、当該所定部材側へ突出するように付勢されている回転停止ロッドと、該回転停止ロッドの先端が前記所定部材から離反した位置で前記付勢力に抗して係止するストッパーと、地震感知装置の地震感知により、前記回転停止ロッドの付勢力の前記ストッパーによる係止を解除する動力を伝達する伝達部と、を具備することを特徴としている。
【発明の効果】
【００１７】
請求項１に記載の備蓄水装置では、ロータンクに設けられているその内部に備蓄された上水を便器側へ排水させるための操作レバーと共に回動及び停止可能な支持部材に、その先端がロータンク側へ出没可能に、当該ロータンク側へ突出するよう付勢されている回転停止ロッドが収容されている。この回転停止ロッドは、平常時において、ストッパーによってその先端がロータンクから離反した位置で前記付勢力に抗して係止されているが、地震感知装置が地震感知した場合において、伝達部がストッパーによる回転停止ロッドの付勢力の係止を解除する動力を伝達することにより、その先端がロータンク側へ突出して操作レバーを停止させる。これにより、本備蓄水装置は、地震発生時に、地震による振動、または住民が使用することにより、操作レバーが回動して、ロータンク内に備蓄されている上水が便器側へ排水されることを防止することができる。
【００１８】
請求項２記載の備蓄水装置は、一端を支点として開閉可能な押圧部材の他端側に設けられた重りを載せる重り載置部から地震による振動により重りが落ちることで、一端側がストッパーと連結した伝達部の他端側が連結されたバネの伸長側の端部が、前記押圧部材を開き伸長してストッパーを移動させ、該ストッパーによる回転停止ロッドの付勢力に抗した係止を解除する地震感知装置を備えている。この地震感知装置は電池不要に構成されているので、本備蓄水装置では電池交換に係る作業が不要であり、また、電池消耗による不作動を防止できる。
【００１９】
請求項３記載の備蓄水装置は、ロープと、ロープの一端側及び他端側を露出させた状態で収容する管とを具備する伝達部を備えている。この伝達部は管によりロープを保護し、当該ロープが他部材に引っ掛ることを防ぐことができるので、本備蓄水装置は伝達部による動力の伝達を確実に行うことができる。
【００２０】
請求項４記載の備蓄水装置は、ロータンクに貼付された摩擦シートに、回転停止ロッドの先端を当接させることで、それらの間の摩擦力が増加するので、地震発生時に操作レバーをより確実に停止することができる。
【００２１】
請求項５記載の備蓄水装置は、支持部材と操作レバーとが一体化されることにより、部品点数を削減でき、また小型化を図ることができる。
【００２２】
請求項６に記載の操作レバーの停止構造では、機器、機械等の操作レバーと共に回動及び停止可能な支持部材に、その先端が支持部材近傍の所定部材側へ出没可能に、当該所定部材側へ突出するよう付勢されている回転停止ロッドが収容されている。この回転停止ロッドは、平常時において、ストッパーによってその先端が所定部材から離反した位置で付勢力に抗して係止されているが、地震感知装置が地震感知した場合において、伝達部がストッパーによる回転停止ロッドの付勢力の係止を解除する動力を伝達することにより、その先端が所定部材側へ突出して操作レバーを停止させる。これにより、本操作レバーの停止構造は、地震発生時に前記操作レバーの回動を停止して、機器、機械等の誤動作を防ぎ、安全性を高めることができる。
【図面の簡単な説明】
【００２３】
【図１】本発明の備蓄水装置の正面図。
【図２】備蓄水装置の要部拡大側面図。
【図３】平常時における備蓄水装置の要部拡大断面図。
【図４】地震発生時における備蓄水装置の要部拡大断面図。
【図５】他の実施形態に係る備蓄水装置の要部拡大側面図。
【図６】平常時における他の実施形態に係る備蓄水装置の要部拡大断面図。
【図７】地震発生時における他の実施形態に係る備蓄水装置の要部拡大断面図。
【図８】水洗トイレのロータンク構造を示す正面図。
【図９】ロータンクの側面図。
【図１０】操作レバーを回動させた場合の、水洗トイレのロータンク内の動作を示す正面図。
【発明を実施するための形態】
【００２４】
以下、本発明に係る備蓄水装置１の最良の実施形態について、各図を参照しつつ説明する。備蓄水装置１は、図１〜４に示すように、水洗トイレ１０１ａのロータンク１０２を備蓄水を蓄えるタンクとして使用するものであり、ロータンク１０２内に備蓄された上水を便器１０５側へ排水させるための操作レバー１０４と共に回動及び停止する支持部材２と、該支持部材２に収容されて、ロータンク１０２側へ出没可能に、該ロータンク１０２へ突出するように付勢されている回転停止ロッド３と、該回転停止ロッド３をロータンク１０２から離反した位置で前記付勢力に抗して係止するストッパー４と、地震感知装置５の地震感知により、回転停止ロッド３の付勢力のストッパー４による係止を解除する動力を伝達する伝達部６とを備えている。
【００２５】
前記水洗トイレ１０１ａは、背景技術で説明した図８〜１０に示す一般的な水洗トイレ１０１をそのまま利用したものを示し、図１、図２に示すように、シャフト１１１が、当該シャフト１１１と比べて、操作レバー１０４とロータンク１０２の外壁面との間のシャフト長が長いシャフト７に変更される点を除いて、部品の変更はない。従って、操作レバー１０４を所定角度回転させた際のロータンク１０２内部の動作についても、上記において説明したとおりである。
【００２６】
前記支持部材２は、図３、図４に示すように、前記シャフト７を挿通するための貫通孔であるシャフト挿通孔８と、該シャフト挿通孔８と平行して設けられ、前記回転停止ロッド３をロータンク１０２側へ出没可能に収容するための貫通孔である回転停止ロッド収容孔９と、該回転停止ロッド収容孔９と直交方向するように設けられ、前記ストッパー４を回転停止ロッド収容孔９へ突出可能に収容するためのストッパー挿入孔１０とを具備している。この支持部材２は、ロータンク１０２と操作レバー１０４との間で、シャフト挿通孔８にシャフト７を挿通された状態で該シャフト７に固定されている。これにより、支持部材２は、シャフト７及び操作レバー１０４と共に回動及び停止する。
【００２７】
前記回転停止ロッド３は、前記操作レバー１０４の回動を停止させるためのものであり、金属、硬質の樹脂材料等により構成され、順次径が小さくなるよう連結された先端３ａ部分、押圧部３ｂ及びロッド部３ｃを有している。この回転停止ロッド３は、該回転停止ロッド３の形状に対応するように形成されている前記回転停止ロッド収容孔９に収容され、具体的には、前記先端３ａ部分がロータンク１０２側に開口した先端収容部９ａに、前記押圧部３ｂが付勢バネ１１と共に付勢バネ収容部９ｂに、前記ロッド部３ｃがロータンク１０２と反対側へ開口したロッド収容部９ｃに夫々収容される。また、回転停止ロッド３は、回転停止ロッド収容孔９への収容後、ロッド部３ｃの端面に、使用者につまみとして利用されるつまみ部３ｄが取り付けられる。更に、ロッド部３ｃには、ストッパー４の一端４ａを挿入するための、該ロッド部３ｃより小径でリング状に形成される凹部３ｅが設けられている。
【００２８】
また、回転停止ロッド３は、図４に示すように、前記付勢バネ収容部９ｂ内で、押圧部３ｂの端面が前記付勢バネ１１の伸長側に位置することで、ロータンク１０２側へ付勢されている。これにより、回転停止ロッド３は、回転停止ロッド収容孔９から先端３ａをロータンク１０２側へ突出して、該ロータンク１０２に当接させることが可能である。この当接が行われた際は、先端３ａとロータンク１０２との間に生ずる摩擦力で、回転停止ロッド３を収容している支持部材２と、ロータンク１０２とはロックされた状態となり、当該支持部材２の回動は停止される。
【００２９】
なお、回転停止ロッド３の先端３ａが当接するロータンク１０２の部分に、先端３ａとの摩擦力を高めるゴム等で構成される摩擦シート１２を貼り付けておけば、支持部材２の回動をより確実に停止することができる。また、付勢バネ１１の付勢力を小さくすることができるので、当該付勢バネ１１、及びそれを収容する支持部材２の小型化が可能となる。
【００３０】
前記ストッパー４は、前記回転停止ロッド３を前記ロータンク１０２から離反した位置で前記付勢バネ１１による勢力に抗して係止するためのものであり、金属、硬質の樹脂材料等により構成され、一端４ａ側に該一端４ａより大径な押圧部４ｂを有している。このストッパー４は、一端４ａ側が付勢バネ１３と共にストッパー挿入孔１０に収容され、当該収容後、ストッパー挿入孔１０に当該ストッパー４の他端４ｃ側を挿通した蓋部１４が取り付けられることで、その状態が維持される。
【００３１】
また、ストッパー４は、ストッパー挿入孔１０内で、押圧部４ｂが付勢バネ１３の伸長側に位置することで、回転停止ロッド収容孔９側へ付勢されている。これより、ストッパー４は、図３に示すように、一端４ａを回転停止ロッド収容孔９へ突出させて、回転停止ロッド３の凹部３ｅに挿入することができる。これにより、ストッパー４は、回転停止ロッド３を係止する。
【００３２】
前記地震感知装置５は、地震の発生を感知して、前記ストッパー４による前記回転停止ロッド３の係止を解除させる動力を発生するものある。この地震感知装置５は、箱状の本体部１５の上蓋として設けられ、その一端１６ａを支点として開閉可能な押圧部材１６と、前記本体部１５内の一端１６ａ側に設けられた収容部１７に収容されて、押圧部材１６を伸長側の端部１８ａにより開方向に付勢している付勢バネ１８とを有している。また、前記押圧部材１６の他端１６ｂ側には、地震発生時にその振動により落下するボール状の重り１９を載せる重り載置部１６ｃが設けられている。なお、図１〜４においては、地震感知装置５を前記ロータンク１０２の蓋部１０２ａ上に配置した場合を示しているが、配置場所は任意であり、図外の棚等に配置してよい。
【００３３】
前記重り載置部１６ｃに載置する前記重り１９は、図３に示すように、前記付勢バネ１８の付勢力に抗して前記押圧部材１６を閉じた状態に維持できる重さを有しているが、図４に示すように、地震により押圧部材１６より落下して（矢印イ）、付勢バネ１８の伸長側の端部１８ａを伸長させて、押圧部材１６を開かせる（矢印ロ）。この付勢バネ１８の端部１８ａが伸長することにより生じる引張力は、前記伝達部６を介して前記ストッパー４に伝達され、ストッパー４による前記回転停止ロッド３の係止を解除する動力として使用される。
【００３４】
なお、重り１９は、上記の通り地震発生時に落下するので、ロータンク１０２等を破損させないように、ゴム等弾性を有する材料により構成することが好ましい。また、重り１９の重さを軽くすることは、ロータンク１０２等の破損リスクも低減させると共に、地震感知装置５の地震に対する感度を高める。そこで、地震感知装置５では、上記の通り、その一端１６ａを支点として開閉可能な押圧部材１６を、一端１６ａ側で付勢バネ１８の伸長側の端部１８ａにより開方向に付勢すると共に、他端１６ｂ側に設けられた重り載置部１６ｃに重り１９を載置して前記付勢に抗して閉じた状態としている。これにより、テコの原理が作用するので、地震感知装置５では、重り１９を軽くすることができる。
【００３５】
前記伝達部６は、地震発生時に前記地震感知装置５の前記付勢バネ１８において生じた引張力を当該ストッパー４に伝達するものであり、糸、綱、ワイヤー等により構成されるロープ６ａと、可撓性を有する樹脂材料により構成される管６ｂとにより構成される。
【００３６】
前記ロープ６ａは、一端６ｃ側が前記ストッパー４の他端４ｃ側に、他端６ｄ側が前記付勢バネ１８の伸長側の端部１８ａ側に連結されている。これによりロープ６ａは、図４に示すように、前記付勢バネ１８の端部１８ａが伸長する（矢印ロ）ことによる引張力をストッパー４に伝達して、該ストッパー４を他端４ｃ側に移動させることができる（矢印ハ）。また、前記管６ｂは、ロープ６ａが他部材に引っ掛る等の事故を防止するためのものであり、当該ロープ６ａをその一端６ｃ側及び他端６ｄ側を露出させた状態で収容する。
【００３７】
以上のように構成される備蓄水装置１では、予め、利用者が押圧部材１６の重り載置部１６ｃに重り１９を載置した状態で、回転停止ロッド３のつまみ部３ｄを付勢バネ１１の付勢力に抗してロータンク１０２と反対側に引っ張って、ストッパー挿入孔１０の直下に当該回転停止ロッド３の凹部３ｅを位置させる。これにより、ストッパー４の一端４ａは、当該凹部３ｅに付勢バネ１３の付勢力により挿入されて、その状態を維持される。これにより、回転停止ロッド３は、図３に示すように、その先端３ａが付勢バネ１１の付勢力に抗してロータンク１０２と離反した状態で係止される。
【００３８】
平常時には、回転停止ロッド３の前記係止が維持されるので、利用者は操作レバー１０４を回動させて、水洗トイレ１０１ａを通常の水洗トイレとして使用することができる。また、地震発生時には、その振動により、図４に示すように、重り１９が押圧部材１６より落下する（矢印イ）。これにより、付勢バネ１３より強い付勢力を有する付勢バネ１８は、その伸長側の端部１８ａにより押圧部材１６を開き伸長して（矢印ロ）、ロープ６ａを他端６ｄ側へ引っ張る。これにより、ストッパー４は、他端４ｃ側に移動して（矢印ハ）、その一端４ａが回転停止ロッド３の凹部３ｅより引き抜かれるので、回転停止ロッド３の前記係止は解除される。これにより、回転停止ロッド３は、その先端３ａをロータンク１０２側へ突出させて（矢印二）、当該ロータンク１０２に当接し、操作レバー１０４の回動を停止させる。
【００３９】
以上により、備蓄水装置１では、地震発生時に、地震による振動、または住民が使用することで操作レバー１０４が回動してロータンク１０２内に備蓄された上水が便器１０５へ排水されることは防止されるので、利用者がロータンク１０２の蓋部１０２ａを開けて、ロータンク１０２に備蓄されている上水を汲み出して使用することができる。また、備蓄水装置１では、付勢バネ１８、押圧部材１６、重り１９等を使用することで、電池等の電源不使用とした地震感知装置５を使用できるので、電池交換に係る作業が不要であり、また、電池消耗による不作動も生じない。
【００４０】
なお、本発明の実施の形態は上述の形態に限ることなく、本発明の思想の範囲を逸脱しない範囲で適宜変更することができる。例えば、図５〜７に示すような備蓄水装置２０は、操作レバー１０４と支持部材２とを一体化して小型化して部品点数も削減した操作レバー２１を使用するものであり、備蓄水装置１と同様の機能を有する。備蓄水装置２０は、支持部材２が不要となることでロータンク１０２から外部側へ突出するシャフトの長さが短くて良くなることに基づき、シャフト１１１を使用できるので、水洗トイレ１０１をそのまま使用できるという効果も有する。
【００４１】
前記操作レバー２１には、シャフト１１１に固定されており、また支持部材２と同様に回転停止ロッド収容孔９と、ストッパー挿入孔１０とを備えている。回転停止ロッド収容孔９に収容された回転停止ロッド３は、図６に示すように、ストッパー挿入孔１０の直下に位置した凹部３ｅに、ストッパー挿入孔１０に収容されたストッパー４の一端４ａが挿入される。これにより、回転停止ロッド３は、その先端３ａがロータンク１０２と離反した位置で、付勢バネ１１による付勢力に抗して係止される。
【００４２】
平常時には、回転停止ロッド３の前記係止が維持されるので、利用者は操作レバー１０４を回動させて、水洗トイレ１０１を通常の水洗トイレとして使用することができる。また、地震発生時において、図７に示すように、ストッパー４が他端４ｃ側に移動して、前記係止が解除されるので、回転停止ロッド３の先端３ａはロータンク１０２に当接する。これにより、操作レバー２１の回動は停止され、備蓄水装置２０においても、地震発生時に、地震による振動、または住民が使用することで操作レバー２１が回動してロータンク１０２内に備蓄された上水が便器１０５へ排水されることは防止される。
【００４３】
また、備蓄水装置１、２０において採用する地震感知装置５は、地震発生時に重り１９が押圧部材１６より落下した際に、図外の電池等の電源から図外のモータまたはコイルに通電することでシャフトを駆動する電気部品であるソレノイドに電源供給して、当該モータまたはソレノイドがロープ６ａの他端６ｄ側を巻き取り、引っ張るものであってよい。或いは、図外の公知の地震感知センサにより地震を検知した際に、図外のモータまたはソレノイドがロープ６ａの他端６ｄ側を巻き取り、引っ張るもの等であってよい。なお、これらのように地震感知装置５を構成する場合には、電池消耗等による不作動が発生しないよう、定期的な電池等の交換を行う必要がある。
【００４４】
また、備蓄水装置１、２０における回転停止ロッド３の付勢バネ１１による付勢力に抗したストッパー４による係止は、磁力を利用して行ってもよい。この場合において、備蓄水装置１または備蓄水装置２０は、図１〜４または図５〜７同様に構成する。但し、回転停止ロッド３及びストッパー４は、磁性材料により構成して、かつ、ストッパー４を電磁石として構成する。また、回転停止ロッド３の凹部３ｅと、付勢バネ１３とは不要である。また、地震感知装置５には、更に押圧部材１６の開閉に応じて、オン・オフが切り替わる図外のスイッチを追加して設ける。さらに、伝達部６は、電線により構成し、一端６ｃをストッパー４に、他端６ｄを図外の前記スイッチを介して図外の電池等の電源に、夫々電気的に接続する。
【００４５】
このように構成される備蓄水装置１、２０において、予め、利用者が回転停止ロッド３のつまみ部３ｄを付勢バネ１１の付勢力に抗してロータンク１０２と反対側に引張り、回転停止ロッド３の先端３ａがロータンク１０２と離反した状態とする。この状態で、回転停止ロッド３のロッド部３ｃはストッパー４の一端４ａに磁気吸着されるので、回転停止ロッド３はその先端３ａがロータンク１０２と離反した位置で付勢バネ１１による付勢力に抗して係止される。
【００４６】
平常時には、回転停止ロッド３の前記係止が維持されるので、利用者は操作レバー１０４を回動させて、水洗トイレ１０１、１０１ａを通常の水洗トイレとして使用することができる。また、地震発生時において、図外の前記スイッチは、重り１９が押圧部材１６より落下することにより付勢バネ１８が伸長し、その端部１８ａにより押圧部材１６を開くことでオフとなる。これにより電磁石として構成されるストッパー４は磁力を失い、前記係止は解除される。よって、回転停止ロッド３はその先端３ａをロータンク１０２側へ突出してロータンク１０２に当接し、操作レバー２１、１０４の回動を停止させる。以上により、このように構成される備蓄水装置１、２０においても、地震発生時に、地震による振動、または住民が使用することで操作レバー２１、１０４が回動してロータンク１０２内に備蓄された上水が便器１０５へ排水されることは防止される。
【００４７】
なお、ストッパー４による係止を、磁力を利用して行う場合であっても、地震感知装置５は、図外の公知の地震感知センサにより地震を検知した際に、図外の前記スイッチをオフとするもの等としてもよい。
【００４８】
また、上記地震発生時に操作レバー１０４の回動を停止させる構成は、生活用機器、産業機器、工作機械、農業用機械等の機器、機械等の回動可能な操作レバーにも適用することができる。この場合において前記操作レバーのシャフトに支持部材２を当該シャフトと共に回動及び停止可能に固定する。この際、回転停止ロッド３の先端３ａが、例えば前記機器、機械等の筐体等の支持部材２の近傍の所定部材側へ出没可能に、当該所定部材へ突出するように付勢されるように、当該支持部材２を配置する。このようにすることで、回転停止ロッド３は、平常時において、ストッパー４によってその先端３ａが前記所定部材から離反した位置となるので、前記操作レバーは回動可能とされる。一方、地震感知装置５が地震を感知した場合には、伝達部６がストッパー４による回転停止ロッド３の付勢力の係止を解除する動力を伝達する。これにより、回転停止ロッド３の先端３ａは、前記所定部材側に突出して外所定部材に当接し前記操作レバーを停止させる。従って、地震発生時には、その振動により前記操作レバーが回動することによる上記機器等の誤動作を防ぎ、その安全性を高めることができる。なお、前記操作レバーと支持部材２とは、操作レバー２１の様に一体化しても、上記同様の効果を得ることができる。
【産業上の利用可能性】
【００４９】
本発明に係る備蓄水装置１、２０は、地震発生時にロータンク１０２に備蓄されている上水が便器１０５側排水されることを防止できる備蓄水装置として用いることができる。また、本発明に係る操作レバーの停止構造は、生活用機器、産業機器、工作機械、農業用機械等の機器、機械等の回動可能な操作レバーが、地震発生時に誤動作することを防止できる停止構造として用いることができる。
【符号の説明】
【００５０】
１、２０  備蓄水装置
２  支持部材
３  回転停止ロッド
３ａ  先端
４  ストッパー
５  地震感知装置
６  伝達部
６ａ  ロープ
６ｂ  管
６ｃ、１６ａ  一端
６ｄ、１６ｂ  他端
１２  摩擦シート
１６  押圧部材
１６ｃ  重り載置部
１８  付勢バネ
１８ａ  端部
２１、１０４  操作レバー
１０２  ロータンク
１０５  便器
【図１】
2012007366.tif 000003
【図２】
2012007366.tif 000004
【図３】
2012007366.tif 000005
【図４】
2012007366.tif 000006
【図５】
2012007366.tif 000007
【図６】
2012007366.tif 000008
【図７】
2012007366.tif 000009
【図８】
2012007366.tif 000010
【図９】
2012007366.tif 000011
【図１０】
2012007366.tif 000012